【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
皮膚の分画に接触し、各接触にＲＦ電圧を配送するように動作する複数の個別の小型の皮膚に電圧を印加するエレメントまたは電極と、
電極の各々と皮膚の間の接触の品質を検出するように動作するメカニズムと、
適切な皮膚治療プロトコルを取り出し、取り出された皮膚治療プロトコルに従って治療パラメータを設定するメカニズムと、
を含む、個人美容皮膚治療のための装置。
【請求項２】
電極の各々と皮膚の間の接触の品質を検出するように動作するメカニズムがまた、皮膚と適正な接触にある電極の数を決定する、請求項1による装置。
【請求項３】
治療プロトコルに従って個別の電極にＲＦ電圧を供給するように動作するＲＦ発生器を更に含み、供給されたＲＦ電圧が、ＲＦテスト電圧と皮膚治療電圧からなる電圧のグループの少なくとも1つである、請求項１による装置。
【請求項４】
ＲＦテスト電圧が５０ボルトよりも下である、請求項３による装置。
【請求項５】
電極の間の皮膚のインピーダンスを監視する少なくとも１つの電極−皮膚接触センサーと少なくとも１つの温度センサーを更に含み、これらのセンサーがコントローラ電極−皮膚接触ステータスと治療された皮膚の温度を提供するように動作する、請求項1による装置。
【請求項６】
少なくとも１つの電極がキャリア上に位置し、前記キャリアが、再使用可能または廃棄可能なキャリアからなるキャリアのグループの少なくとも１つであり、電極が、弾力性または剛性の電極からなるグループの少なくとも１つである、請求項１による装置。
【請求項７】
装置がまた、
基板と、
小型の皮膚に電圧を印加するエレメントまたは電極のアレイを取り囲むかまたはその側面に位置する戻り電極と、
複数の開口部と、
を含んだ廃棄可能なキャリアを含む、請求項１による装置。
【請求項８】
開口部が、装置の先端上に位置するＬＥＤを受け入れるように構成されそのようなサイズを有し、ＬＥＤが、廃棄可能なキャリアのための位置合せピンとしての役目を果たす、請求項７による装置。
【請求項９】
小型の皮膚に電圧を印加するエレメントが、２０００μｍより少ない直径を有する、請求項１による装置。
【請求項１０】
小型の皮膚に電圧を印加するエレメントが、１００と２０００μｍの間の直径を有する、請求項１による装置。
【請求項１１】
皮膚治療の過程で、複数の皮膚位置において複数の個別の小型の皮膚に電圧を印加する電極が皮膚と接触するように、電極が構成されている、請求項１による装置。
【請求項１２】
小型の皮膚に電圧を印加するエレメントまたは電極の少なくとも１つが戻り電極によって取り囲まれている、請求項１による装置。
【請求項１３】
電極の各々、電極のグループおよび皮膚の温度を測定して温度をコントローラに通信するように動作する温度センサーを更に含む、請求項１による装置。
【請求項１４】
治療された皮膚セグメントを照射するように動作する好適な波長の少なくとも１つの光源を更に含む、請求項１による装置。
【請求項１５】
各々が皮膚の一分画に接触し、各電極にテストＲＦ電を配送して電極の各々と皮膚の間の接触の品質の決定を可能とするように動作する個別の電極のマトリクスを含んだキャリアを皮膚に施すことと、
皮膚と接触している電極と、電極の各々と皮膚の間の接触の品質を検出するメカニズムを動作させることと、
適切な皮膚治療プロトコルを取り出し、取り出された皮膚治療プロトコルに従って皮膚治療パラメータを設定するメカニズムを動作させることと、
皮膚と接触している前記電極から安全な皮膚治療を可能とする数の電極を選択することと、
前記選択された電極に皮膚治療ＲＦ電圧を配送することにより治療された皮膚を加熱することと、
を含む、個人美容皮膚治療のための方法。
【請求項１６】
皮膚治療ＲＦ電圧を選択された電極に配送するように、メモリーから取り出された治療プロトコルと治療パラメータを皮膚に適用することを更に含む、請求項１５による方法。
【請求項１７】
皮膚治療ＲＦ電圧が５０ボルトと４００ボルトの間である、請求項１５による方法。
【請求項１８】
皮膚切除検出メカニズムを動作させ、皮膚治療ステータスを監視し、皮膚非切除的治療を維持するように皮膚切除検出メカニズムによって提供された情報に基づいて皮膚治療ステータスを変更することを更に含む、請求項１５による方法。
【請求項１９】
皮膚治療ＲＦ電圧を少なくとも４つの電極に配送することにより安全な皮膚治療を確かなものとすることを更に含む、請求項１５による方法。
【請求項２０】
マトリクス中の選択された電極の位置が、皮膚セグメントの過熱を防止し望ましくない皮膚の損傷の可能性を削減するように選択される、請求項１５による方法。
【請求項２１】
あらゆる一時において電極の少なくとも１つが皮膚に接触するように配置された複数の小型の皮膚に電圧を印加するエレメントまたは電極をもったキャリアと、
少なくとも1つの電極−皮膚接触検出メカニズムと、
該メカニズムと通信しており、電極−皮膚接触のステータスに関する情報を前記メカニズムから受け取り、前記情報と予め決められたプロトコルに従って前記少なくとも１つの電極によって印加された電圧のレベルを変更するように動作するコントローラと、
を含む、個人美容皮膚治療のための装置。
【請求項２２】
電極−皮膚接触ステータス信号に基づいた前記コントローラが、皮膚にＲＦ電圧を印加する電極の数を制限する、請求項１または２１による装置。
【請求項２３】
前記コントローラが、電極−皮膚接触ステータス信号と予め決められた治療プロトコルに基づいて、治療パラメータと皮膚にＲＦ電圧を印加する電極の数の少なくとも１つを変更する、請求項１または２１による装置。
【請求項２４】
皮膚にＲＦ電圧を印加する前記電極が、皮膚表面から等距離に間隔を空けられた皮膚層を加熱するように動作する、請求項１または２１による装置。
【請求項２５】
前記電極が、単極的または双極的動作モードで動作する、請求項１または２１による装置。
【請求項２６】
前記電極がグリッド上に位置し、２つの隣接する電極の間の距離が両方向で等しい、請求項２１による装置。
【請求項２７】
電極が、皮膚切除形成に繋がり得る高密度電流の形成を避けるべく選択された直径を有する、請求項２１による装置。
【請求項２８】
皮膚治療ステータスを検出してステータスをコントローラに通信するように動作する皮膚切除検出メカニズムを含んだ安全性を確かなものとする方策を更に含む、請求項１または２１による装置。
【請求項２９】
小型の皮膚に電圧を印加するエレメントが、２０００μｍより少ない直径を有する、請求項２１による装置。
【請求項３０】
小型の皮膚に電圧を印加するエレメントが、１００と２０００μｍの間の直径を有する、請求項２１による装置。
【請求項３１】
あらゆる一時において電極の少なくとも１つが皮膚に接触するように配置された複数の小型の皮膚に電圧を印加するエレメントまたは電極をもったキャリアを皮膚に施すことと、
電極−皮膚接触検出メカニズムを動作させることと、
ステータスを前記メカニズムから受け取り、前記情報と予め決められた皮膚治療プロトコルに従って前記電極のアッセンブリーの前記少なくとも１つの電極によって印加された電圧のレベルを変更するように動作するコントローラに、前記電極−皮膚接触のステータスを通信することと、
を含む、個人美容皮膚治療のための方法。
【請求項３２】
皮膚にＲＦ電圧を印加する前記電極が、皮膚表面から等距離に間隔を空けられた皮膚層を加熱するように動作する、請求項３１による方法。
【請求項３３】
あらゆる一時において電極の少なくとも１つが皮膚に接触するように配置された複数の小型の電圧を印加するエレメントまたは電極をもったキャリアを含んだ手持ちケースと、
複数の電極の各々に個別にＲＦ電圧を提供するように動作するＲＦ電圧源と、
ＲＦ電圧源の動作を制御し、前記複数の電極の各々にＲＦ電圧を供給するように動作するコントローラと、を含み、
キャリアの小型の電圧を印加するエレメントまたは電極が、戻り電極によって取り囲まれた前記電極の各々を持ったアレイに配置されており、電極の中心と戻り電極の間の最も大きな距離が、戻り電極の最大の寸法の平方根の半分である、
個人美容皮膚治療のための装置。
【請求項３４】
温度センサーが、少なくとも１つの小型の皮膚に電圧を印加するエレメントと戻り電極の間の最短経路においてキャリア上に位置する、請求項３３による装置。
【請求項３５】
戻り電極が、１つより多くのエレメントまたは電極の側面に位置する、請求項３３による装置。
【請求項３６】
戻り電極が、小型の皮膚に電圧を印加するエレメントまたは電極のアレイの側面に位置する、請求項３３による装置。
【請求項３７】
少なくとも１つの電極があらゆる一時において皮膚に接触するように動作するように配置された複数の小型の電圧を印加するエレメントまたは電極をもったキャリアと、
少なくとも１つの電極−皮膚接触検出メカニズムと、
該メカニズムと通信しており、前記電極−皮膚接触のステータスに関する情報を前記メカニズムから受け取り、安全な皮膚治療を可能とすべく同時に稼動された電極の数を制限するように動作するコントローラと、
を含む、個人美容皮膚治療のための装置。
【請求項３８】
治療プロトコルと治療プロトコルパラメータを設定するコントローラを更に含み、前記パラメータは安全性と非切除的治療状態の少なくとも１つを確かなものとするように選択される、請求項１または３７による装置。
【請求項３９】
前記装置が、特定の皮膚に電圧を印加する電極に専用の１つ以上のピクセルをもったディスプレイも含む、請求項１または３７による装置。
【請求項４０】
前記コントローラが前記電極の各々と通信し、前記ディスプレイが、前記特定の電極接触に対応する光周波数で特定の電極に専用の１つ以上のピクセルを照射することによって前記電極の各々の接触ステータスと、前記電極−皮膚接触検出メカニズム入力に基づいた活動ステータスを表示する、請求項３９による装置。
【請求項４１】
前記ディスプレイが、表示時における治療されたエリアのマップと動作不能な電極のような情報も提供する、請求項３９による装置。
【請求項４２】
前記ディスプレイが、有機発光ダイオード（ＯＬＥＤ）、液晶（ＬＣＤ）、およびカスタマイズされたＬＥＤディスプレイからなるディスプレイのグループの１つである、請求項３９による装置。